(57)【要約】      （修正有）【課題】粘着式で貼る布質のブラジャーの設計を提供する。【解決手段】肩の帯及び背中の帯を付けない布質のブラジャー１０の内側面１の全部又は局部の選定される位置に、共同構造として一層のシリコン類の接着剤で構成する接着層２を組み合せることで、乳房の肌と適切に接触して固定できる、粘着式で貼る布質のブラジャー。【選択図】図１
0003107761.tif 000002
【実用新案登録請求の範囲】
【請求項１】
肩の帯及び背中の帯を付けない布質のブラジャーの内側面の全部又は局部の選定される位置に、共同構造として一層のシリコン類の接着剤で構成される接着層が設置されていることを特徴とする粘着式で貼る布質のブラジャー。
【請求項２】
前記接着層は布質のブラジャーの内側面に沿って、一つのＵ字形状の接着層を形成することを特徴とする請求項１に記載の粘着式で貼る布質のブラジャー。
【請求項３】
前記接着層に一つの乳頭と接着することを防止する中空部分があることを特徴とする請求項１に記載の粘着式で貼る布質のブラジャー。
【請求項４】
前記接着層は布質のブラジャーの内側面の上下又はその周辺に沿って、全部又は局部の共同構造が形成されることを特徴とする請求項１に記載の粘着式で貼る布質のブラジャー。
【請求項５】
前記接着層は布質のブラジャーの内側面の周辺に沿って、一つのリング形状の接着層が形成されることを特徴とする請求項１に記載の粘着式で貼る布質のブラジャー。
【考案の詳細な説明】
【技術分野】
【０００１】
本考案は粘着式で貼る布質のブラジャーの設計を提供するものである。それは布質のブラジャーに合わせて、その内側面の全部又は局部に共同構造として一つの接着層を組み合わせることで、乳房と接触して粘着式で貼るので、ブラジャーを付けた後、布質のブラジャー及び肩の帯のないブラジャーの快適で汗を吸収できる長所、及び軽くて美しい長所を備えるものである。
【背景技術】
【０００２】
従来のブラジャーは、主に女性の胸の形を整えることで、快適及び美観の効果を発揮するものである。例えば、従来の布質のブラジャーの設計は一対の相互に接続する布質のカップと、一対の背中の帯及び一対の肩の帯を含み、そのカップの中にスポンジ、水袋又はシリコンなどの強化物を入れられるものである。その他、肩の帯のないタイプ又は肩の帯を取り替えるタイプの布質のブラジャーもある。布質のブラジャーを使うのは、布質が良いし、スタイルと色の変化も多い長所があるためである。又、布の材質は素晴らしく汗を吸収する効果があるので、それを付ける場合、とても快適な気持で、外観もより直立して綺麗になるが、従来の布質のブラジャーには一対の背中の帯及び一対の肩の帯が必要なので、それを付ける時、時間がかかるし、束縛されるので気分が良くないし、帯の形状が外部の服装にはっきりあらわれるので、視覚的な美観を妨害する。
【０００３】
又、現在シリコンで作られた帯なしタイプのラジャーがあるが、このような帯なしタイプのブラジャーは背中の帯及び肩の帯が無くなるが、それはシリコンで作られたので、汗を排出する効果がないため、汗を吸収できない。
【考案の開示】
【考案が解決しようとする課題】
【０００４】
そのため、それを使用する場合、布質のブラジャーが持っている軽くて快適であるという長所及び布質の素晴らしさと綺麗であるという長所がないので、このシリコンで作られたブラジャーは物足りない。
【課題を解決するための手段】
【０００５】
粘着式で貼る布質のブラジャーの設計に関するものである。特に、布質のブラジャーの内側面の全部又は局部の選定される位置に、共同構造として一層のシリコン類の接着剤で構成する接着層を組み合せることで、乳房の肌と適切に接触して固定できるブラジャーが作られる。これにより、それを付ける場合、布質ブラジャーの汗を吸収する快適感があるし、帯なしタイプの軽くて綺麗な効果もある。
【考案を実施するための最良の形態】
【０００６】
図１及び図２を参照すると、本考案の実施例に係る「粘着式で貼る布質のブラジャー」の設計は、布質のブラジャー１０の内側面１の局部の選定される位置に共同で一層のシリコンの接着剤で構成される厚さが適切な接着層２と組み合せる。その接着層２の共同構造の分布形態は図１から図３に示される通り、接着層２は布質のブラジャー１０の内側面１の周辺に沿って、一つのＵ形状の接着層２を形成するか、図４から図６に示されたその他の実施例の通り、その接着層２に中身の無い部分２１を持って、局部で共同構造として布質のブラジャー１０の内側面１（図４の通り）に組み合せることで、中身の無い部分２１によって乳頭を避けられる。又は図５の通り、接着層２は、布質のブラジャー１０の内側面１の上下(又は両側)の周辺に沿って、局部の共同構造として組み合わせることにより形成する。又は、図６の通り、接着層２は、布質のブラジャー１０の内側面１の周辺に沿って一つのリング形状の接着層２を形成する。
【０００７】
上述の接着層２を利用して、布質のブラジャー１０の内側面１と形成する局部の共同構造と組み合せることで、その接着層２を乳房の肌と適切に接触して固定できるので、一つの肩の帯及び背中の帯のない粘着式で貼る布質のブラジャーが作られる。又、本考案の実施例による粘着式で貼る布質のブラジャーを付ける場合、その接着層２の固定効果が良いので、肩の帯及び背中の帯を設けることが必要ではないし、元の布質のブラジャーの汗を吸収できる快適な効果及び帯なしの軽くて綺麗な効果などの多重な効果を持つ。
上述の接着層２は既に証明された繰返して貼れる特性のあるシリコン類の接着剤で構成される。そのシリコン類の接着剤は従来の範疇に属するので、ここでは述べる必要はない。
【０００８】
本考案の実施例の全体的な組み合せ形態から見ると、ブラジャーは布質タイプであるので、その材質、スタイル又はカラーをすべて多様に変化させることができ、外観もデザインできる。特に、ファッションとして、ブラジャーを外部に付ける場合、その実用的な効果がもっと現れる。又、材質の空気透過及び汗吸収の方面にも素晴らしい効果がある。上述によって、本考案の実施例は従来のシリコンで構成される帯なしブラジャーとの間にはっきり異なること及び進歩性のあることがわかるので、本考案の実施例の設計は従来のブラジャーと比較すると、完全に異なる新しいブラジャーの構造を持つものである。
【０００９】
尚、図７の通り、シリコン類の接着剤で構成される接着層２は、布質のブラジャー１０の内側面１と全部マッチングする共同構造を形成することで、接着層２を人体の乳房の肌と全面的に接触して固定することもできる。
また、本考案で使用される布質のブラジャーの構造は特定な制限が必要ではないので、通常の布質のブラジャーを使って、その肩の帯及び背中の帯を省略するだけで良い。図８及び図９の通り、この布質のブラジャーの基本的の構成は外部の布層１１、中間に置くスポンジ１２、インナー布層１３及びその底部に設ける硬質ワイヤ(例えば鋼線)１４を組合せて構成される。この技術又は構造は従来の技術に属するので、ここでは詳しく説明しない。又、この帯なしの布質のブラジャー１０の内側面１の全部又は局部の選定される位置に共同構造として、一層のシリコン類の接着剤で構成する接着層２が設置されることは本考案の実施例の特徴であるので、その点についてここで改めて強調しておく。
【００１０】
本考案の布質のブラジャーは、改めて改良したので、従来の背中の帯及び肩の帯を省略し、その帯なしの布質のブラジャーの内側面の全部又は局部に選定される位置に共同構造として、一層のシリコン類の接着剤で構成する接着層を形成することで、その接着層を人体の乳房の肌と適切に接触して固定できるので、背中の帯及び肩の帯を設けないまま、一つの粘着式で貼る布質のブラジャーが形成される。又、そのブラジャーは汗を吸収する快適感及び帯なしタイプの軽くて美観などの多重な効果を持つ。
【図面の簡単な説明】
【００１１】
【図１】本考案の一実施例に係る布質のブラジャーを示す立体図である。
【図２】本考案の一実施例に係る布質のブラジャーを示す断面図である。
【図３】本考案の一実施例に係る布質のブラジャーを示す正面図である。
【図４】本考案の他の実施例に係る布質のブラジャーを示す正面図である。
【図５】本考案の他の実施例に係る布質のブラジャーを示す正面図である。
【図６】本考案の他の実施例に係る布質のブラジャーを示す正面図である。
【図７】本考案の他の実施例に係る接着層を全部布タイプのブラジャーの内側面に設ける布質のブラジャーの正面図である。
【図８】本考案の実施例に係る接着層と組合せていない状態の布質のブラジャーを示す分解立体図である。
【図９】本考案の実施例に係る接着層と組合せていない状態の布質のブラジャーを示す組合せ立体図である。
【符号の説明】
【００１２】
１０  布質のブラジャー、１  内側面、２  接着層、２１  中身の無い部分、１１  外部の布層、１２  中間に置くスポンジ、１３  インナー布層、１４  硬質ワイヤ
【図１】
0003107761.tif 000003
【図２】
0003107761.tif 000004
【図３】
0003107761.tif 000005
【図４】
0003107761.tif 000006
【図５】
0003107761.tif 000007
【図６】
0003107761.tif 000008
【図７】
0003107761.tif 000009
【図８】
0003107761.tif 000010
【図９】
0003107761.tif 000011